(57)【特許請求の範囲】
【請求項１】
半導体光源を備えレンズ部を有する第１のボディ部と該第１のボディ部の上方に位置した第２のボディ部と上記第１のボディ部と第２のボディ部との間を固定的に連結し上記２つのボディ部より細径に形成された中間部とを備えた本体部と、
ほぼ環状を成し上記ボディ部をほぼ側方から覆い壁面等に固定されるハウジングと、
ほぼ椀状を成し上記ハウジングの外側面の少なくとも一部に外側から接触し上記本体部の中間部に外嵌状に位置されたロッキング部材と、
上記ロッキング部材の後端面と上記本体部の第２のボディ部との間に介在されたリングバネとを備え、
上記ロッキング部材とリングバネとは相対的に回転可能に配置されると共に、互いの接触面が凹凸形状をしており、
ロッキング部材とリングバネの一方の凸部と一方の凹部とが対向した状態では上記本体部及びロッキング部材がハウジングに対して傾動可能となり、一方の凸部と他方の凸部とが対応し且つ接触した状態ではロッキング部材がハウジングに対して相対的に押圧されることによってハウジングが本体部の外側面に相対的に圧接されて、本体部及びロッキング部材がハウジングに対して傾動不能となる
ことを特徴とする室内照明灯。
【請求項２】
ロッキング部材とハウジングとの互いの対向面には互いに係合してロッキング部材とハウジングとの相対的回転を規制する凹凸部が形成されている
ことを特徴とする請求項１に記載の室内照明灯。
【請求項３】
上記第１のボディ部はレンズ部とベース部を備え、
上記ベース部は球面状の外面を有する主部を有し、
上記レンズ部は球面状の側面を有し、
上記ベース部の外面とレンズ部の側面とが連続した球面を形成する
ことを特徴とする請求項１又は請求項２に記載の室内照明灯。
【発明の詳細な説明】
【技術分野】
【０００１】
本発明は新規な室内照明灯に関する。詳しくは、室内照明灯を小型に構成する技術に関する。
【背景技術】
【０００２】
旅客航空機、自動車等において読書灯と称されている小型の室内照明灯が使用されている。このような室内照明灯は、狭い範囲をスポット的に照明し、周囲にとって当該室内照明灯の光が邪魔にならないようにしてある。そのため、室内照明灯を使用するものにとっては、所望の位置が的確に照明されることが必要であり、そのために、この種の室内照明灯にあっては、照明方向を調整することが可能に構成されている。
【０００３】
例えば、特許文献１には、ロッキングリング（３）を非ロック位置に回転することによって、ランプボディ（２）が回動可能となって照明方向を変更することができるようになり、逆に、ロッキングリング（３）をロック位置へと回転すると、弾性リング（４）の弾発力が強く作用してランプハウジング（１）がランプボディ（２）の外側面に圧接されて、ランプボディ（２）が回転不能となる、ように構成した室内照明灯が示されている。なお、括弧内の数字は特許文献１の図面において各部及び部材に付されていた符号である。
【０００４】
【特許文献１】実開平６−４２４１４号公報
【発明の開示】
【発明が解決しようとする課題】
【０００５】
ところで、上記した特許文献１に示された室内照明灯にあっては、ロッキングリング（３）は天井や壁のパネル面の内側に位置しているため、ロッキングリング（３）の操作はサービス要員等パネル面の内側にアクセスできる者でなければ行うことができず、乗客がその所望に応じて照明方向の調整を行うことができない。
【０００６】
また、弾性リング（４）はハウジング（１）の外側に作用するものであるため、弾性リング（４）の大きさが大きくならざるを得ず、室内照明灯全体の大きさが大型化する。しかも、弾性リング（４）が直接作用する方向と、その力を利用してハウジング（１）がボディ（２）を締め付ける方向とがほぼ直交した関係にあるため、弾性リングの押圧力が十分に利用されず、それによっても、弾性リング（４）が大型化する。
【０００７】
そこで、本発明は、室内照明灯を小型に構成することを課題とする。
【課題を解決するための手段】
【０００８】
本発明室内照明灯は、上記した課題を解決するために、半導体光源を備えレンズ部を有する第１のボディ部と該第１のボディ部の上方に位置した第２のボディ部と上記第１のボディ部と第２のボディ部との間を固定的に連結し上記２つのボディ部より細径に形成された中間部とを備えた本体部と、ほぼ環状を成し上記ボディ部をほぼ側方から覆い壁面等に固定されるハウジングと、ほぼ椀状を成し上記ハウジングの外側面の少なくとも一部に外側から接触し上記本体部の中間部に外嵌状に位置されたロッキング部材と、上記ロッキング部材の後端面と上記本体部の第２のボディ部との間に介在されたリングバネとを備え、上記ロッキング部材とリングバネとは相対的に回転可能に配置されると共に、互いの接触面が凹凸形状をしており、ロッキング部材とリングバネの一方の凸部と一方の凹部とが対向した状態では上記本体部及びロッキング部材がハウジングに対して傾動可能となり、一方の凸部と他方の凸部とが対応し且つ接触した状態ではロッキング部材がハウジングに対して相対的に押圧されることによってハウジングが本体部の外側面に相対的に圧接されて、本体部及びロッキング部材がハウジングに対して傾動不能となるようにしたものである。
【０００９】
従って、本発明室内照明灯にあっては、小型に構成することができ、しかも、リングバネを小型に構成しながら、強い押圧力を得ることができる。
【発明の効果】
【００１０】
本発明室内照明灯は、半導体光源を備えレンズ部を有する第１のボディ部と該第１のボディ部の上方に位置した第２のボディ部と上記第１のボディ部と第２のボディ部との間を固定的に連結し上記２つのボディ部より細径に形成された中間部とを備えた本体部と、ほぼ環状を成し上記ボディ部をほぼ側方から覆い壁面等に固定されるハウジングと、ほぼ椀状を成し上記ハウジングの外側面の少なくとも一部に外側から接触し上記本体部の中間部に外嵌状に位置されたロッキング部材と、上記ロッキング部材の後端面と上記本体部の第２のボディ部との間に介在されたリングバネとを備え、上記ロッキング部材とリングバネとは相対的に回転可能に配置されると共に、互いの接触面が凹凸形状をしており、ロッキング部材とリングバネの一方の凸部と一方の凹部とが対向した状態では上記本体部及びロッキング部材がハウジングに対して傾動可能となり、一方の凸部と他方の凸部とが対応し且つ接触した状態ではロッキング部材がハウジングに対して相対的に押圧されることによってハウジングが本体部の外側面に相対的に圧接されて、本体部及びロッキング部材がハウジングに対して傾動不能となることを特徴とする。
【００１１】
従って、本発明室内照明灯にあっては、リングバネを第２のボディ部とロッキング部材との間に設けることにより、リングバネを小型（小径）にしながら強い押圧力を得ることができる。
【００１２】
請求項２に記載した発明にあっては、ロッキング部材とハウジングとの互いの対向面には互いに係合してロッキング部材とハウジングとの相対的回転を規制する凹凸部が形成されているので、ロッキング部材の回転方向の動作範囲を規制することができる。
【００１３】
請求項３に記載した発明にあっては、上記第１のボディ部はレンズ部とベース部を備え、上記ベース部は球面状の外面を有する主部を有し、上記レンズ部は球面状の側面を有し、上記ベース部の外面とレンズ部の側面とが連続した球面を形成するようにしたので、部品点数の削減によりコストを低減することができると共に、小型化に寄与する。
【発明を実施するための最良の形態】
【００１４】
以下に、本発明室内照明灯を実施するための最良の形態について添付図面を参照して説明する。
【００１５】
室内照明灯１はハウジング１０を備え、該ハウジング１０が天井、壁等のパネルへ固定され、このハウジング１０に他の部材が傾動及び／又は回転可能に支持される。ハウジング１０は上下幅の大きな環状をしており、内側面１１及び外側面１２は球面の一部を為すように形成されている。ハウジング１０の外側面１２の下端部分には全周に亘って延びる係合溝１３が形成され、また、外側面１２の互いに反対側の位置には中間部から上端まで延びるほぼＶ字状をした凹部１４、１４が形成されている。そして、パネル（図示しない）に形成された取付孔の開口縁が上記係合溝１３に係合した状態で、ハウジング１０がパネルに取り付けられる。
【００１６】
上記ハウジング１０に本体部、ロッキング部材及びリングバネが傾動及び／又は回転可能に支持される。
【００１７】
本体部２０は、第１のボディ部３０と該第１のボディ部３０の上方に位置した第２のボディ部４０と上記第１のボディ部３０と第２のボディ部４０との間を固定的に連結し上記２つのボディ部３０、４０より細径に形成された中間部５０とを備えている。
【００１８】
上記第１のボディ部３０はレンズ部３１とベース部３２と半導体光源、例えばＬＥＤ（発光ダイオード）３３を有する。上記レンズ部３１は透明な合成樹脂で形成され、凸レンズ部及び該凸レンズ部の周囲を囲むように位置したフランジ部を有するレンズ作用部３１ａと該レンズ作用部３１ａの外周縁から上方へ延びる側面部３１ｂとが一体に形成されて成る。そして、側面部３１ｂの外側面３１ｃは球面の一部を為すように形成されている。
【００１９】
上記ベース部３２は主部３２ａと該主部３２ａの上面中央から上方へ突出した軸部５０とが熱伝導性が良好な金属材料で一体に形成されて成り、上記主部３２ａの下面に配置された基板３２ｂにＬＥＤ３３が実装されている。また、主部３２ａの下面には上記基板３２ｂを囲むように立壁３２ｃが突出されており、該立壁３２ｃにレンズ部３１の側面部３１ｂの上端部が外嵌された状態で、レンズ部３１がベース部３２に固定されている。そして、ベース部３２の主部３２ａの外側面３２ｄはレンズ部３１の側面部３１ｂの外側面３１ｃに連続した球面に形成されている。
【００２０】
上記軸部５０は中空にされており、外側面には図示しないネジ山が形成されている。そして、この軸部５０が上記した中間部を構成する。すなわち、この実施の形態では、第１のボディ部と中間部とは一体に形成されている。なお、中間部を第１のボディ部と別体の構成しても良いことは勿論である。上記軸部５０の中空部５１には上記ＬＥＤ３３が実装された基板３２ｂへの図示しない給電コードが挿通される。また、主部３２ａの外側面３２ｄのうち軸部５０の付け根部には制限突起３４が突設されている（図９、図１０参照）。
【００２１】
そして、上記ハウジング１０の内側面１１の球面と第１のボディ部３０のレンズ部３１及びベース部３２の外側面３１ｃ、３２ｄの球面とはほぼ同じ曲率半径を有するように形成されている。そして、上記ハウジング１０が本端部２０のベース部３２の下端部及びレンズ部３１の側面部３１ｂの下端部を除く部分を側方から覆うように位置される。
【００２２】
第２のボディ部４０は熱伝導性が良好な金属材料で形成されており、中心部に位置した軸部４１の周囲に多数の放熱羽根４２、４２、・・・が上記軸部４１の軸に直交する方向に適当に間隔を置いた状態で配置され、これら放熱羽根４２、４２、・・・が連結部４３、４３、・・・によって中心部の軸部４１に一体に連結されている。上記軸部４１の内周面には図示しないネジ溝が形成されている。また、第２のボディ部４０の下面には環状のバネ配置部４４が形成されており、該バネ配置部４４の外側に位置した内側面の適当な一箇所に回り止め突起４５が突設されている。
【００２３】
そして、第２のボディ部４０の軸部４１に下方から第１のボディ部３０の軸部（中間部）５０が螺合によって結合されて本体部２０が形成される。
【００２４】
ロッキング部材６０はほぼすり鉢を伏せたような形状をしており、上部中央に挿通孔６１が形成されていて、該挿通孔６１の内径は上記本体部２０の中間部５０の外径よりやや大きく形成されている。ロッキング部材６０の高台に相当する部分の上面６２が接触面とされ、該接触面６２には周方向においてほぼ等間隔に離間して３つの凸部６２ａ、６２ａ、６２ａが形成されており、これら凸部６２ａ、６２ａ、６２ａとこれらの間に位置する凹部６２ｂ、６２ｂ、６２ｂとの間は傾斜面６２ｃ、６２ｃ、６２ｃによって連結されている。ロッキング部材６０の内側面６３はほぼ球面に形成され、該内側面６３の下端部の互いに対向した２つの位置には係合突起６４、６４が突設されている。また、ロッキング部材６０の内側面６３のうち挿通孔６１に沿う位置に中心角でほぼ６０度の範囲に弧状の案内凹部６５が形成されている（図７（ａ）参照）。
【００２５】
上記したロッキング部材６０の挿通孔６１に本体部２０の中間部５０が挿通され、ロッキング部材６０の内側面６３の下方部分がハウジング１０の外側面１２の上方部に接触した状態とされ、さらに、ロッキング部材６０の係合突起６４、６４はハウジング１０の外側面１２に形成された凹部１４、１４内に位置した状態とされる。また、本体部２０の制限突起３４はロッキング部材６０の案内凹部６５内に位置した状態とされる（図１０参照）。
【００２６】
本体部２０の第２のボディ部４０とロッキング部材６０との間にリングバネ７０が配置される。該リングバネ７０は板バネ材料によって環状に形成されており、周方向に波打つように形成され、下面７１が接触面とされ、下方に向かって突出した状態とされた３つの部分７１ａ、７１ａ、７１ａが凸部とされ、下方に向かって窪んだ状態とされた３つの部分７１ｂ、７１ｂ、７１ｂが凹部とされ、これら凸部７１ａ、７１ａ、７１ａ及び凹部７１ｂ、７１ｂ、７１ｂはそれぞれ周方向に等間隔に離間して形成され、互いの間は傾斜部７１ｃ、７１ｃ、７１ｃによって連結されている。そして、一の凹部７１ｂとされた部分の外側縁に係合切欠７２が形成されている。
【００２７】
上記したリングバネ７０は本体部２０の第２のボディ部４０の下面に形成されたバネ配置部４４内に位置した状態で上記第２のボディ部４０とロッキング部材６０との間に介在される。そして、リングバネ７０の係合切欠７２が上記バネ配置部４４に形成された回り止め突起４５と係合し、これによってリングバネ７０は本体部２０に対して回り止めされた状態とされる。
【００２８】
上記した室内照明灯１の組立は以下のように為される。
【００２９】
ハウジング１０の上にロッキング部材６０、リングバネ７０、本体部２０の第２のボディ部４０の順に重ねて配置し、その状態で、本体部２０の第１のボディ部３０と一体に形成されている中間部５０を下方からハウジング１０、ロッキング部材６０の挿通孔６１、リングバネ７０の順に挿通して行き、最後に、第２のボディ部４０の軸部４１に捻じ込んで第１のボディ部３０と第２のボディ部４０とを一体化して本体部２０を組み立てると共に、室内照明灯１が完成する。上記のように組み立てられた室内照明灯１を天井あるいは壁のパネルへ組み付ける。
【００３０】
次に、室内照明灯１の使用方法について説明する。
【００３１】
図１及び図２が非ロック状態、すなわち、照明方向の調整が可能な状態である。すなわち、リングバネ７０の凸部７１ａ、７１ａ、７１ａがロッキング部材６０の凹部６２ｂ、６２ｂ、６２ｂに対応した位置にあり、従って、ロッキング部材６０には上方からいかなる力もかかっていない状態であり、従って、ロッキング部材６０の内側面６３ととハウジング１０の外側面１２との間及びハウジング１０の内側面１１と第１のボディ部３０の外側面３１ｃ、３２ｄとの間は単に接触しているだけの状態であり、従って、本体部２０をハウジング１０に対して自由に傾動及び回転させることができる。なお、このとき、本体部２０の制限突起３４（図９参照）はロッキング部材６０の案内凹部６５の一方の端近くに位置している。
【００３２】
そこで、本体部２０をハウジング１０に対して所望の方向へ且つ所望の角度傾動させてＬＥＤ３３によって照明される位置を調整する。なお、本体部２０の回転及び傾動は、室内側に突出しているレンズ部３１を持って行うことができる。また、本体部２０のハウジング１０に対する傾動は、ロッキング部材６０の係合突起６４、６４がハウジング１０の凹部１４、１４内で移動できる範囲に限定される。
【００３３】
そして、照明方向を調整したら、本体部２０を所望の方向に回転させる。なお、ここで「回転」とは本体部２０を中間部５０や第２のボディ部４０の軸４１の軸回りに回転させることであり、また、「傾動」とは中間部５０や第２のボディ部４０の軸４１をハウジング１０の内側面１１の中心を中心点として傾けるることである。図１及び図２に示す状態から本体部２０を回転させると、第２のボディ部４０の回り止め突起４５と係合切欠７２が係合しているリングバネ７０が本体部２０と共に回転する。そして、本体部２０の回転範囲は制限突起３４がロッキング部材６０の案内凹部６５内を移動できる範囲に限定されているので、上記制限突起３４が案内凹部６５の他方の端近くに位置したときに、本体部２０及びロッキング部材６０と共に回転するリングバネの凸部７１ａ、７１ａ、７１ａがロッキング部材６０の傾斜面６２ｃ、６２ｃ、６２ｃを経て凸部６２ａ、６２ａ、６２ａと当接した状態となる（図３及び図４参照）。これによって、リングバネ７０は本体部２０の第２のボディ部４０とロッキング部材６０との間で圧縮された状態となり、リングバネ７０に反発力が発生する。リングバネ７０に発生した反発力によってロッキング部材６０が下方に押圧され、その内側面６３がハウジング１０の外側面１２を外側から内側に向かって押圧することになる。そして、ハウジング１０が外側から内側に向かって押圧されることにより、その内側面１１が本体部２０の第１のボディ３０の外側面３１ｃ、３２ｄに圧着され、そこに生じる摩擦力によって、本体部２０はその姿勢が保持されることになる。
【００３４】
さらに、照明方向の調整を必要とするときは、本体部２０を回転させて、図１及び図２に示すように、リングバネ７０の凸部７１ａ、７１ａ、７１ａがロッキング部材６０の凹部６２ｂ、６２ｂ、６２ｂに対応した位置にあるようにすれば、本体部２０を所望の方向及び角度に傾動させることができる。
【００３５】
上記室内照明灯１にあっては、リングバネ７０を第２のボディ部４０とロッキング部材６０との間に設けることにより、リングバネ７０を小型（小径）にしながら強い押圧力を得ることができる。
【００３６】
また、上記第１のボディ部３０はレンズ部３１とベース部３２を備え、上記ベース部３２は球面状の外面を有する主部３２ａを有し、上記レンズ部３１は球面状の側面３１ｃを有し、上記ベース部３２の外面３２ｄとレンズ部３１の側面３１ｃとが連続した球面を形成するようにしたので、部品点数の削減によりコストを低減することができると共に、小型化に寄与する。
【００３７】
なお、上記した実施の形態において、第１のボディ部３０と中間部５０とを一体に形成したが、このようにすることによってさらなる部品点数の低減を図ることができる。しかしながら、本発明において、第１のボディ部３０と中間部５０とは必ずしも一体に形成しなければならないというものではなく、中間部５０は第２のボディ部４０と一体に形成しても、あるいは、第１のボディ部３０及び第２のボディ部４０の何れとも別体に形成しても構わない。
【００３８】
また、上記したように、ベース部３２、中間部５０及び第２のボディ部４０を共に熱伝導性が良好な金属材料で形成し、且つ、第２のボディ部４０に放熱羽根４２、４２、・・・を設けてヒートシンクとして機能させることによって、ＬＥＤ等の半導体光源の発光によって半導体光源３３や基板３２ｂに発生する熱を効果的に放熱することができる。
【００３９】
なお、上記した実施の形態において示した各部の形状及び構造は、何れも本発明を実施するに際して行う具体化のほんの一例を示したものにすぎず、これらによって本発明の技術的範囲が限定的に解釈されることがあってはならないものである。
【図面の簡単な説明】
【００４０】
【図１】図面は本発明室内照明灯の実施の形態を示すものであり、本図は非ロック状態での全体を示す縦断面図である。
【図２】非ロック状態での全体を示す側面図である。
【図３】ロック状態での全体を示す縦断面図である。
【図４】ロック状態での全体を示す側面図である。
【図５】第２のボディ部の底面図である。
【図６】リングバネの平面図である。
【図７】ロッキング部材を示し、（ａ）は底面図、（ｂ）は（ａ）のＢ−Ｂ線に沿う断面図である。
【図８】ハウジングを示し、（ａ）は側面図、（ｂ）は（ａ）のＢ−Ｂ線に沿う断面図である。
【図９】第１のボディ部のベース部を示し、（ａ）は平面図、（ｂ）は（ａ）の９Ｂ視図である。
【図１０】組立状態の要部を図９（ａ）のＸ−Ｘ線で切断して示す図である。
【符号の説明】
【００４１】
１…室内照明灯、１０…ハウジング、１４…凹部、２０…凹部、３０…第１のボディ部、３１…レンズ部、３１ｂ…側面部、３１ｃ…外側面（球面）３２…ベース部、３２ａ…主部、３２ｄ…外側面（球面）、３３…ＬＥＤ（半導体光源）、４０…第２のボディ部、５０…中間部、６０…ロッキング部材、６２…接触面、６２ａ…凸部、６２ｂ…凹部、６４…係合突起（凸部）、７０…リングバネ、７１…接触面、７１ａ…凸部、７１ｂ…凹部
【図１】
0004400886.tif 000002
【図２】
0004400886.tif 000003
【図３】
0004400886.tif 000004
【図４】
0004400886.tif 000005
【図５】
0004400886.tif 000006
【図６】
0004400886.tif 000007
【図７】
0004400886.tif 000008
【図８】
0004400886.tif 000009
【図９】
0004400886.tif 000010
【図１０】
0004400886.tif 000011